(57)【要約】【課題】場所を選ばす、容易に上肢を伸長する運動ができる上肢伸長運動補助具を提供すること。【解決手段】上肢伸長運動補助具１の補助具本体１０の、中央筒部１１の一端部に接続されている第１拡径部１２の部分は、中央筒部１１の軸心ＣＡに近づく方向へ突出する円弧状の第１曲面１２１を有し、中央筒部１１の他端部に接続されている第２拡径部１３の部分は、中央筒部１１の軸心ＣＡに近づく方向へ突出する円弧状の第２曲面１３１を有する。第１曲面１２１の曲率半径Ｄ１２１は、第２曲面１３１の曲率半径Ｄ１３１よりも小さい。【選択図】図２
2016193114.tif 000002
【特許請求の範囲】
【請求項１】
補助具本体を備え、
前記補助具本体は、
円柱形状を有する中央筒部であって、中央筒部の軸心に交差する位置関係で人の前腕が載置され人の前腕により転がされる中央筒部と、
前記中央筒部の軸方向における前記中央筒部の一端部に接続された第１拡径部と、
前記中央筒部の軸方向における前記中央筒部の他端部に接続された第２拡径部と、を有し、
前記中央筒部の一端部に接続されている前記第１拡径部の部分は、前記中央筒部の軸心に近づく方向へ突出する円弧状の第１曲面を有し、
前記中央筒部の他端部に接続されている前記第２拡径部の部分は、前記中央筒部の軸心に近づく方向へ突出する円弧状の第２曲面を有し、
前記第１曲面の曲率半径は、前記第２曲面の曲率半径よりも小さい、上肢伸長運動補助具。
【請求項２】
前記中央筒部の軸心に直交する方向における、前記中央筒部の軸心と、前記中央筒部の軸心から最も離間する第１拡径部の外面との間の距離は、前記中央筒部の軸心に直交する方向における、前記中央筒部の軸心と、前記中央筒部の軸心から最も離間する第２拡径部の外面との間の距離と、同一である、請求項１に記載の上肢伸長運動補助具。
【請求項３】
少なくとも前記中央筒部の外面、前記第１曲面、及び、前記第２曲面には、複数の突起が存在する、請求項１又は請求項２に記載の上肢伸長運動補助具。
【請求項４】
一の上肢伸長運動補助具の前記第２拡径部は、他の上肢伸長運動補助具の前記第２拡径部に接続可能な接続部を有する、請求項１〜請求項３のいずれかに記載の上肢伸長運動補助具。
【発明の詳細な説明】
【技術分野】
【０００１】
本発明は、上肢を伸長する運動を行う際に用いられる上肢伸長運動補助具に関する。
【背景技術】
【０００２】
従来より、上肢を伸長する運動が、行われている。例えば、ボツリヌス毒中毒患者のボツリヌス毒治療において、運動機能障害が生じた上肢を伸張させるために、タオルが用いられる。タオルは、巻かれてロール状とされ、運動機能障害が生じた上肢は、ロール状とされたタオルに載置される。そして、上肢をロール状のタオルの軸心に直交する方向へ進退することにより、上肢を伸長する運動が行われる。また、関節や筋肉に対するリハビリテーションを行うための装置が知られている（特許文献１参照）。
【先行技術文献】
【特許文献】
【０００３】
【特許文献１】特開２０１４−１２４３９９号公報
【発明の概要】
【発明が解決しようとする課題】
【０００４】
しかし、タオルを用いる場合には、タオルを載置する板や、タオルを載置する板を置くための場所が必要となる等、上肢を伸長する運動を行うための条件が揃っていない場合には、上肢を伸長する運動を行うことは容易ではなかった。
【０００５】
本発明は、場所を選ばす、容易に上肢を伸長する運動ができる上肢伸長運動補助具を提供することを目的とする。
【課題を解決するための手段】
【０００６】
本発明は、補助具本体を備え、前記補助具本体は、円柱形状を有する中央筒部であって、中央筒部の軸心に交差する位置関係で人の前腕が載置され人の前腕により転がされる中央筒部と、前記中央筒部の軸方向における前記中央筒部の一端部に接続された第１拡径部と、前記中央筒部の軸方向における前記中央筒部の他端部に接続された第２拡径部と、を有し、前記中央筒部の一端部に接続されている前記第１拡径部の部分は、前記中央筒部の軸心に近づく方向へ突出する円弧状の第１曲面を有し、前記中央筒部の他端部に接続されている前記第２拡径部の部分は、前記中央筒部の軸心に近づく方向へ突出する円弧状の第２曲面を有し、前記第１曲面の曲率半径は、前記第２曲面の曲率半径よりも小さい、上肢伸長運動補助具に関する。
【０００７】
ここで、前記中央筒部の軸心に直交する方向における、前記中央筒部の軸心と、前記中央筒部の軸心から最も離間する第１拡径部の外面との間の距離は、前記中央筒部の軸心に直交する方向における、前記中央筒部の軸心と、前記中央筒部の軸心から最も離間する第２拡径部の外面との間の距離と、同一であることが好ましい。
【０００８】
また、少なくとも前記中央筒部の外面、前記第１曲面、及び、前記第２曲面には、複数の突起が存在することが好ましい。また、一の上肢伸長運動補助具の前記第２拡径部は、他の上肢伸長運動補助具の前記第２拡径部に接続可能な接続部を有することが好ましい。
【発明の効果】
【０００９】
本発明によれば、場所を選ばす、容易に上肢を伸長する運動ができる上肢伸長運動補助具を提供することができる。
【図面の簡単な説明】
【００１０】
【図１】本発明の実施形態による上肢伸長運動補助具１を示す概略斜視図である。
【図２】本発明の実施形態による上肢伸長運動補助具１の補助具本体１０を示す正面図である。
【図３】本発明の実施形態による上肢伸長運動補助具１の接続部３１を示す斜視図である。
【図４】本発明の実施形態による上肢伸長運動補助具１が単独で使用されている様子を示す概略図である。
【図５】本発明の実施形態による上肢伸長運動補助具１が２つ連結されて使用されている様子を示す側面図である。
【発明を実施するための形態】
【００１１】
以下、本発明の実施形態について図１〜図５を参照して説明する。図１に示すように、上肢伸長運動補助具１は、補助具本体１０と、突起２１と、接続部３１とを有している。補助具本体１０は、２つの略球形状のものの間に円柱形状のものが一体的に接続されたような、略亜鈴形状を有している。
【００１２】
具体的には、補助具本体１０は、図２に示すように、中央筒部１１と、第１拡径部１２と、第２拡径部１３と、を有する。第１拡径部１２は、第１曲面１２１と、第３曲面１２２と、第５曲面１２３と、第７曲面１２４とを有する。また、第２拡径部１３は、第２曲面１３１と、第４曲面１３２と、第６曲面１３３と、端部平坦面１３６とを有する。
【００１３】
中央筒部１１、第１拡径部１２、及び、第２拡径部１３は、それぞれ中空のゴム製であり、一体成形されて接続されている。中央筒部１１の内部空間、第１拡径部１２の内部空間、及び、第２拡径部１３の内部空間は、互いに連通しており、補助具本体１０の内部空間を構成している。第２拡径部１３に形成された空気注入口（図示せず）に空気ポンプ（図示せず）を接続して、補助具本体１０の内部空間に対して空気を入れたり、抜いたりすることにより、補助具本体１０の硬さ、即ち、中央筒部１１、第１拡径部１２、及び、第２拡径部１３の硬さを調整可能である。以下の説明における寸法等の数値は、補助具本体１０の内部空間における気体の圧力を大気圧と同一とした場合の値である。補助具本体１０は、補助具本体１０の内部空間における気体の圧力を、大気圧に対して若干低くしても、また、若干高くしても、以下の説明における各寸法の値をほぼ維持できる程度の剛性を有している。例えば、補助具本体１０の内部空間における気体の圧力が、３０ＫＰａ程度であっても、補助具本体１０は、以下の説明における各寸法の値を維持できる程度の剛性を有している。
【００１４】
中央筒部１１は、円柱形状を有する。中央筒部１１の外径Ｄ１１は、３ｃｍ〜７ｃｍであることが好ましく、本実施形態では６ｃｍ程度である。中央筒部１１の外径Ｄ１１が３ｃｍ未満では、上肢の長手方向を中央筒部１１の軸方向に一致させた位置関係として、上肢を中央筒部１１に当接させた状態で転がしにくいためである。また、中央筒部１１の外径Ｄ１１が７ｃｍを超えると、第１曲面１２１と第２曲面１３１との間に、安定して上肢を位置させておくことが困難になるためである。
【００１５】
第１拡径部１２は、中央筒部１１の一端部に一体的に接続されている。より詳細には、中央筒部１１の一端部には、第１拡径部１２を構成する第１曲面１２１に一体的に接続されている。第１曲面１２１は、図２に示すように、中央筒部１１の軸心ＣＡに近づく方向へ突出する円弧状、即ち、中央筒部１１に接続されている第１曲面１２１の一端部（第１曲面１２１の図２における左端部）における第１曲面１２１の接線が、中央筒部１１の側面（外面）にそのまま一致するような円弧状を有している。なお、図２においては、説明の便宜上、突起２１の図示を省略している。
【００１６】
第１曲面１２１の曲率半径Ｄ１２１は、１ｃｍ〜４ｃｍが好ましく、本実施形態では３．５ｃｍ程度である。第１曲面１２１の曲率半径Ｄ１２１が１ｃｍ未満では、上肢の長手方向を中央筒部１１の軸方向に一致させた位置関係として、上肢を中央筒部１１に当接させた状態で転がしたときに、上肢が第３曲面１２２及び第５曲面１２３に強く擦れてしまい、上肢伸長運動補助具１を長時間転がし続けることを、困難とするためである。また、第１曲面１２１の曲率半径Ｄ１２１が４ｃｍを超えると、第１曲面１２１と第２曲面１３１との間に、安定して上肢を位置させておくことが困難になるためである。
【００１７】
第１曲面１２１の一端部に対する他端部（第１曲面１２１の図２における右端部）は、第１拡径部１２を構成する第３曲面１２２の一端部に一体的に接続されている。第３曲面１２２は、第１曲面１２１と同様に、図２に示すように、中央筒部１１の軸心ＣＡに近づく方向へ突出する円弧状を有している。
【００１８】
第３曲面１２２の曲率半径Ｄ１２２は、３ｃｍ〜７ｃｍが好ましく、本実施形態では６．５ｃｍ程度である。第３曲面１２２の曲率半径Ｄ１２２が３ｃｍ未満では、上肢の長手方向を中央筒部１１の軸方向に一致させた位置関係として、上肢を中央筒部１１に当接させた状態で転がしたときに、第１曲面１２１の曲率半径Ｄ１２１との関係で、上肢が第５曲面１２３に強く擦れてしまい、上肢伸長運動補助具１を長時間転がし続けることを、困難とするためである。また、第３曲面１２２の曲率半径Ｄ１２２が７ｃｍを超えると、第１曲面１２１の曲率半径Ｄ１２１との関係で、第１曲面１２１と第２曲面１３１との間に、安定して上肢を位置させておくことが困難になるためである。
【００１９】
第３曲面１２２の一端部に対する他端部（第１曲面１２１の図２における右端部）は、第１拡径部１２を構成する第５曲面１２３の一端部に一体的に接続されている。第５曲面１２３は、図２に示すように、中央筒部１１の軸心ＣＡから離れる方向へ突出する円弧状、即ち、図２に示す正面視で、第３曲面１２２に接続されている第５曲面１２３の一端部（第５曲面１２３の図２における左端部）が、第３曲面１２２から第５曲面１２３へと変わる変曲点となるように、上方へ凸となる円弧状を有している。第５曲面１２３の曲率半径Ｄ１２３は、３．５ｃｍ程度であり、第１曲面１２１の曲率半径Ｄ１２１と同一である。ここで、「同一」とは完全同一であることを意味するのみならず、完全同一で製造することを意図したものの、製造過程において生じた寸法誤差等をも含むことを意味する。
【００２０】
第５曲面１２３の一端部に対する他端部（第５曲面１２３の図２における右端部）は、第１拡径部１２を構成する第７曲面１２４の一端部に一体的に接続されている。第７曲面１２４は、図２に示すように、第１拡径部１２の右端部を塞ぐような略半球形状を有している。第７曲面１２４の曲率半径Ｄ１２４は、７．５ｃｍ程度である。
【００２１】
第２拡径部１３は、中央筒部１１の他端部に一体的に接続されている。より詳細には、中央筒部１１の他端部は、第２拡径部１３を構成する第２曲面１３１に一体的に接続されている。第２曲面１３１は、図２に示すように、中央筒部１１の軸心ＣＡに近づく方向へ突出する円弧状、即ち、中央筒部１１に接続されている第２曲面１３１の一端部（第２曲面１３１の図２における右端部）における第２曲面１３１の接線が、中央筒部１１の側面（外面）にそのまま一致するような円弧状を有している。
【００２２】
第２曲面１３１の曲率半径Ｄ１３１は、３ｃｍ〜７ｃｍが好ましく、本実施形態では６．５ｃｍ程度である。従って、第１曲面１２１の曲率半径Ｄ１２１は、第２曲面１３１の曲率半径Ｄ１３１よりも小さい。また、第２曲面１３１の曲率半径Ｄ１３１と第３曲面１２２の曲率半径Ｄ１２２とは同一である。ここで、「同一」とは完全同一であることを意味するのみならず、完全同一で製造することを意図したものの、製造過程において生じた寸法誤差等をも含むことを意味する。第２曲面１３１の曲率半径Ｄ１３１が３ｃｍ未満では、上肢の長手方向を中央筒部１１の軸方向に一致させた位置関係として、上肢を中央筒部１１に当接させた状態で転がしたときに、上肢が第４曲面１３２に強く擦れてしまい、上肢伸長運動補助具１を長時間転がし続けることを、困難とするためである。また、第２曲面１３１の曲率半径Ｄ１３１が７ｃｍを超えると、第１曲面１２１と第２曲面１３１との間に、安定して上肢を位置させておくことが困難になるためである。
【００２３】
第２曲面１３１の一端部に対する他端部（第２曲面１３１の図２における左端部）は、第２拡径部１３を構成する第４曲面１３２の一端部に一体的に接続されている。第４曲面１３２は、図２に示すように、中央筒部１１の軸心ＣＡから離れる方向へ突出する円弧状、即ち、図２に示す正面視で、第２曲面１３１に接続されている第４曲面１３２の一端部（第４曲面１３２の図２における右端部）が、第２曲面１３１から第４曲面１３２へと変わる変曲点となるように、上方へ凸となる円弧状を有している。第４曲面１３２の曲率半径Ｄ１３２は、７．５ｃｍ程度であり、第７曲面１２４の曲率半径Ｄ１２４と同一である。ここで、「同一」とは完全同一であることを意味するのみならず、完全同一で製造することを意図したものの、製造過程において生じた寸法誤差等をも含むことを意味する。
【００２４】
第４曲面１３２の一端部に対する他端部（第４曲面１３２の図２における左端部）は、第２拡径部１３を構成する第６曲面１３３の一端部に一体的に接続されている。第６曲面１３３は、第４曲面１３２と同様に、図２に示すように、中央筒部１１の軸心ＣＡから離れる方向へ突出する円弧状を有している。第６曲面１３３の曲率半径Ｄ１３３は、１３ｃｍ程度である。
【００２５】
第６曲面１３３の一端部に対する他端部（第６曲面１３３の図２における右端部）は、端部平坦面１３６に一体的に接続されている。一の上肢伸長運動補助具１（１−１）の第２拡径部１３は、他の上肢伸長運動補助具１（１−２）の第２拡径部１３に接続可能な接続部３１としての面ファスナーを有する。
【００２６】
具体的には、端部平坦面１３６（図２参照）は、円形状を有しており、端部平坦面１３６の全面は、接続部３１を構成し円形状を有する面ファスナーにより覆われている。面ファスナーの直径を堺として面ファスナーの半分は、面ファスナーを構成するフック面３２により構成されている。面ファスナーの直径を堺として面ファスナーの他の半分は、面ファスナーを構成するループ面３３により構成されている。この構成により、一の上肢伸長運動補助具１（１−１）の面ファスナーのフック面３２を他の上肢伸長運動補助具１（１−２）の面ファスナーのループ面３３に貼付けるとともに、一の上肢伸長運動補助具１（１−１）の面ファスナーのループ面３３を他の上肢伸長運動補助具１（１−２）の面ファスナーのフック面３２に貼付けることで、図５に示すように、２つの上肢伸長運動補助具１を連結可能である。
【００２７】
図２に示すように、中央筒部１１の軸心ＣＡに直交する方向における、中央筒部１１の軸心ＣＡと、中央筒部１１の軸心ＣＡから最も離間する第１拡径部１２の外面との間の距離は、中央筒部１１の軸心ＣＡに直交する方向における、中央筒部１１の軸心ＣＡと、中央筒部１１の軸心ＣＡから最も離間する第２拡径部１３の外面との間の距離と同一である。ここで、「第１拡径部１２の外面」、「第２拡径部１３の外面」とは、後述の突起２１が仮に存在しないと仮定した場合の、「第１拡径部１２の外面」、「第２拡径部１３の外面」を意味する。具体的には、図２の上下方向において、中央筒部１１の軸心ＣＡと、中央筒部１１の軸心ＣＡから最も離間する第７曲面１２４の外面の部分との間の距離Ｒ１２３は、同方向における、中央筒部１１の軸心ＣＡと、中央筒部１１の軸心ＣＡから最も離間する第４曲面１３２の外面の部分との間の距離Ｒ１３２と同一である。また、「同一」とは完全同一であることを意味するのみならず、完全同一で製造することを意図したものの、製造過程において生じた寸法誤差等をも含むことを意味する。このため、水平なテーブルの上面等に上肢伸長運動補助具１を載置したときに、中央筒部１１の軸心ＣＡは、水平なテーブル面に平行な位置関係を有する。
【００２８】
図１等に示すように、中央筒部１１（図２参照）の外面の全面、第１曲面１２１、第２曲面１３１、第３曲面１２２、第４曲面１３２、第５曲面１２３、第６曲面１３３、第７曲面１２４には、多数の突起２１が存在する。突起２１は、半球形状を有しており、これらの各面からそれぞれ突出している。突起２１が存在しないのは、面ファスナーが設けられている上肢伸長運動補助具１の端部平坦面１３６、及び、当該端部平坦面１３６を有する上肢伸長運動補助具１の一端部に対する上肢伸長運動補助具１の他端部（図２における第１拡径部１２の右側の端部）のみである。これら以外の部分においては、突起２１は、均等に分布して存在している。
【００２９】
突起２１の高さは、０．１ｃｍ〜１ｃｍが好ましく、本実施形態では、全て０．２ｃｍ程度である。突起２１の高さが０．１ｃｍ未満では、突起２１が小さすぎて、血液循環やリラックス等の効果を十分に得ることができず、また、十分に手の平に対して刺激を与えることが難しいからである。同様に、突起２１の高さが１ｃｍを超えると、手の平で触れたときに、突起２１が大きすぎて突起２１として認識することができず、血液循環やリラックス等の効果を十分に得ることができず、また、十分に手の平に対して刺激を与えることが難しいからである。
【００３０】
次に、上記上肢伸長運動補助具１の使用態様について、図４、図５を参照しながら説明する。先ず、水平な面を有する台の上に、上肢伸長運動補助具１を載置する。この際、上肢伸長運動補助具１の使用者から見て、右側に第１拡径部１２が位置し、左側に第２拡径部１３が位置するように、水平な面を有する台の当該面上に、上肢伸長運動補助具１を載置する。次に、図４に示すように、右上肢の前腕ＲＡを、中央筒部１１の軸心ＣＡに直交する位置関係で載置する。そして、使用者の前腕ＲＡで上肢伸長運動補助具１を、使用者の身体から離れる方向へ進めるように転がしたり、使用者の身体に近づく方向へ後退させるように転がしたりして、上肢の伸長運動を行う。
【００３１】
また、左右両方の上肢の伸長運動を同時にする際には、先ず、一の上肢伸長運動補助具１（１−１）の接続部３１を構成する面ファスナーを、他の上肢伸長運動補助具１（１−２）の接続部３１を構成する面ファスナーに貼り付ける。この際、この構成により、一の上肢伸長運動補助具１（１−１）の面ファスナーのフック面３２を他の上肢伸長運動補助具１（１−２）の面ファスナーのループ面３３に貼付けるとともに、一の上肢伸長運動補助具１（１−１）の面ファスナーのループ面３３を他の上肢伸長運動補助具１（１−２）の面ファスナーのフック面３２に貼付ける。これにより、２つの上肢伸長運動補助具１（１−１、１−２）を連結する。
【００３２】
次に、水平な面を有する台の上に、上肢伸長運動補助具１を載置する。この際、上肢伸長運動補助具１の使用者から見て、右側に一の上肢伸長運動補助具１（１−１）が位置し、左側に他の上肢伸長運動補助具１（１−２）が位置するように、水平な面を有する台の当該面上に、連結された一の上肢伸長運動補助具１（１−１）及び他の上肢伸長運動補助具１（１−２）を載置する。
【００３３】
次に、図５に示すように、右上肢の前腕ＲＡを、一の上肢伸長運動補助具１（１−１）の中央筒部１１の軸心ＣＡに直交する位置関係で一の上肢伸長運動補助具１（１−１）の中央筒部１１に載置する。また、左上肢の前腕ＬＡを、他の上肢伸長運動補助具１（１−２）の中央筒部１１の軸心ＣＡに直交する位置関係で他の上肢伸長運動補助具１（１−２）の中央筒部１１に載置する。そして、使用者の左右の前腕ＲＡ、ＬＡで上肢伸長運動補助具１−１、１−２を、使用者の身体から離れる方向へ進めるように転がしたり、使用者の身体に近づく方向へ後退させるように転がしたりして、上肢の伸長運動を行う。
【００３４】
上記構成の本実施形態による上肢伸長運動補助具１によれば、以下のような効果を得ることができる。
【００３５】
上肢伸長運動補助具１は、補助具本体１０を備える。補助具本体１０は、円柱形状を有する中央筒部１１であって、中央筒部１１の軸心ＣＡに直交する位置関係で人の前腕ＬＡ、ＲＡが載置され人の前腕ＬＡ、ＲＡにより転がされる中央筒部１１と、中央筒部１１の軸方向における中央筒部１１の一端部に接続された第１拡径部１２と、中央筒部１１の軸方向における中央筒部１１の他端部に接続された第２拡径部１３と、を有する。中央筒部１１の一端部に接続されている第１拡径部１２の部分は、中央筒部１１の軸心ＣＡに近づく方向へ突出する円弧状の第１曲面１２１を有する。中央筒部１１の他端部に接続されている第２拡径部１３の部分は、中央筒部１１の軸心ＣＡに近づく方向へ突出する円弧状の第２曲面１３１を有する。第１曲面１２１の曲率半径Ｄ１２１は、第２曲面１３１の曲率半径Ｄ１３１よりも小さい。
【００３６】
この構成により、例えば、上肢伸長運動補助具１の使用者から見て、右側に第１拡径部１２が位置し、左側に第２拡径部１３が位置するように、水平な面を有する台の当該面上に、上肢伸長運動補助具１を載置して、右上肢の前腕ＲＡを、中央筒部１１の軸心ＣＡに直交する位置関係で載置して、使用者の前腕ＲＡで上肢伸長運動補助具１を、使用者の身体から離れる方向へ進めるように転がしたり、使用者の身体に近づく方向へ後退させるように転がしたりする際に、右上肢の前腕ＲＡが中央筒部１１上から外れないように、右上肢の前腕ＲＡを、安定して第１曲面１２１と第２曲面１３１との間に位置させた状態で、右上肢の前腕ＲＡで上肢伸長運動補助具１を転がすことができる。このため、安定して、繰り返し右上肢伸長運動を行うことができる。左上肢についても、上肢伸長運動補助具１の第１拡径部１２と第２拡径部１３との位置を逆にすることで、右上肢と同様に、伸長運動を安定して行うことができる。
【００３７】
この結果、上肢全体、肩、肘等の可動域と柔軟性とを増大させることができる。また、医療施設においてボツリヌス毒素療法をうけている患者は、家庭において、特別なスペースを確保せずに、場所を選ばず容易に上肢の伸長運動を行うことができる。
【００３８】
また、中央筒部１１の軸心ＣＡに直交する方向における、中央筒部１１の軸心ＣＡと、中央筒部１１の軸心ＣＡから最も離間する第１拡径部１２の外面との間の距離は、中央筒部１１の軸心ＣＡに直交する方向における、中央筒部１１の軸心ＣＡと、中央筒部１１の軸心ＣＡから最も離間する第２拡径部１３の外面との間の距離と、同一である。
【００３９】
この構成により、上肢伸長運動補助具１を転がして上肢の伸長運動を行っているときに、上肢伸長運動補助具１の使用者から見て左右の方向に上肢伸長運動補助具１がブレることを抑制し、上肢伸長運動補助具１の使用者の前後方向へ正確に上肢伸長運動補助具１が進退するように上肢伸長運動補助具１を転がすことができる。
【００４０】
また、中央筒部１１の外面、第１曲面１２１、及び、第２曲面１３１には、複数の突起２１が存在する。この構成により、上肢伸長運動補助具１の使用者が上肢伸長運動補助具１を転がしているときに、上肢伸長運動補助具１に対して使用者の前腕ＲＡ、ＬＡを滑りにくくすることができる。また、上肢伸長運動補助具１の使用者の手の平で第１拡径部１２や第２拡径部１３を握ることにより、手の平の感覚を刺激ことができる。この結果、血液循環を良くする効果や、リラックス効果を得ることができる。
【００４１】
また、一の上肢伸長運動補助具１（１−１）の第２拡径部１３は、他の上肢伸長運動補助具１（１−２）の第２拡径部１３に接続可能な接続部３１を有する。この構成により、一の上肢伸長運動補助具１（１−１）の第２拡径部１３を、他の上肢伸長運動補助具１（１−２）の第２拡径部１３に接続して、一の上肢伸長運動補助具１（１−１）と、他の上肢伸長運動補助具１（１−２）とを同軸的に一直線上に配置させて、一の上肢伸長運動補助具１（１−１）に右上肢の前腕ＲＡを載置し、他の上肢伸長運動補助具１（１−２）に左上肢の前腕ＬＡを載置して、一の上肢伸長運動補助具１（１−１）と、他の上肢伸長運動補助具１（１−２）とを同時に転がして、左右の上肢について同時に伸長運動を行うことができる。
【００４２】
本発明は、上述した実施形態に限定されることはなく、特許請求の範囲に記載された技術的範囲において変形が可能である。例えば、本実施形態においては、上肢伸長運動補助具１の中央筒部１１に、前腕ＲＡを、中央筒部１１の軸心ＣＡに直交する位置関係で載置したが、直交に限定されない。上肢伸長運動補助具１の中央筒部１１に、前腕ＲＡを、中央筒部１１の軸心ＣＡに交差する位置関係で載置してもよい。
【００４３】
また、突起２１は、面ファスナーが設けられている上肢伸長運動補助具１の端部平坦面１３６、及び、当該端部平坦面１３６を有する上肢伸長運動補助具１の一端部に対する上肢伸長運動補助具１の他端部（図２における第１拡径部１２の右側の端部）を除く、上肢伸長運動補助具１の外面に均一に分布して存在していたが、この構成に限定されない。少なくとも中央筒部１１の外面、第１曲面１２１、及び、第２曲面１３１に複数の突起２１が存在している構成であってもよい。
【００４４】
また、上肢伸長運動補助具１の各構成や寸法等は、本実施形態における上肢伸長運動補助具１の各構成や寸法に限定されない。例えば、本実施形態における上肢伸長運動補助具１では、空気注入口に空気ポンプを接続して、補助具本体１０の内部空間に対して空気を入れたり、抜いたりすることにより、補助具本体１０の硬さを調整可能であったが、この構成に限定されない。例えば、補助具本体１０の硬さは、調整不能であってもよい。
【００４５】
また、本実施形態において、上肢伸長運動補助具１を１つ使用する場合には、右上肢の前腕ＲＡを、中央筒部１１に載置したが、この使用態様に限定されない。例えば、２つの上肢伸長運動補助具１を連結して使用する場合の他の上肢伸長運動補助具１（１−２）と同様に、上肢伸長運動補助具１の使用者から見て、右側に第２拡径部１３が位置し、左側に第１拡径部１２が位置するように、水平な面を有する台の当該面上に、１つの上肢伸長運動補助具１を載置して、左上肢の前腕ＬＡを、中央筒部１１の軸心ＣＡに直交する位置関係で載置する。そして、使用者の左上肢の前腕ＬＡで上肢伸長運動補助具１を、使用者の身体から離れる方向へ進めるように転がしたり、使用者の身体に近づく方向へ後退させるように転がしたりして、上肢の伸長運動を行ってもよい。
【符号の説明】
【００４６】
１    上肢伸長運動補助具
１０    補助具本体
１１    中央筒部
１２    第１拡径部
１３    第２拡径部
２１    突起
３１    接続部
１２１    第１曲面
１３１    第２曲面
Ｄ１２１    第１曲面の曲率半径
Ｄ１３１    第２曲面の曲率半径
Ｒ１２３、Ｒ１３２    距離
ＣＡ    中央筒部の軸心
ＬＡ、ＲＡ    前腕
【図１】
2016193114.tif 000003
【図２】
2016193114.tif 000004
【図３】
2016193114.tif 000005
【図４】
2016193114.tif 000006
【図５】
2016193114.tif 000007